(57)【要約】【課題】安定した状態で自立させることが可能でありながら、従来と変わらない工程で製造できる組立容器を提供する。【解決手段】後板２０に内板３０を連設しておき、内板３０の下端部には紡錘形の支承片３１を連設し、後板２０の下端部には両側に脚部２２を残した状態で樽形の支承片２３を連設し、前板１０の下端縁と後板２０の脚部下端縁とは内板下端部の支承片３１の両端を結ぶ線より下方で一直線上に位置させる。後板２０に対して内板３０を折り曲げ、その内板３０に重なるように前板１０を折り曲げて貼着することで折畳み状態とし、それを起こして、後板２０の下端部に連設する支承片２３を内側に折り曲げてから、内板３０の下端部に連設する支承片３１を重なるように折り曲げて下部を閉鎖するとともに、後板２０の上端部に連設する支承片２１を内側に折り曲げてから、前板１０の上端部に連設する支承片１１を重なるように折り曲げて上部を閉鎖する。【選択図】図１
2015160615.tif 000002
【特許請求の範囲】
【請求項１】
折目線を介して前板と後板と内板とがこの順で連設されており、前板の上端部と後板の上端部にはそれぞれ紡錘形の支承片が円弧状の折目線を介して連設され、内板の下端部には紡錘形の支承片が円弧状の折目線を介して連設され、後板の下端部には両側に脚部を残した状態で樽形の支承片が円弧状の折目線を介して連設されており、内板の上端縁は前板と後板における円弧状の折目線より下方に位置し、前板の下端縁と後板の脚部下端縁とは内板下端部の支承片の両端を結ぶ線の延長線上かその延長線より下方で一直線上に位置してなるブランクからなり、後板に対して内板が折り曲げられ、その内板に重なるように前板が折り曲げられて内板と貼着されることで折畳み状態となり、その折畳み状態のものを中ほどが膨らむように起こして、後板の下端部に連設する樽形の支承片を内側に折り曲げてから、内板の下端部に連設する支承片を重なるように折り曲げて下部を閉鎖するとともに、後板の上端部に連設する支承片を内側に折り曲げてから、前板の上端部に連設する支承片を重なるように折り曲げて上部を閉鎖することで自立できる箱体に組み立てられることを特徴とする包装容器。
【請求項２】
後板の上端部に連設する紡錘形の支承片に指掛け用の切欠を設けたことを特徴とする請求項１に記載の紙製カートン。
【請求項３】
後板の下端部に連設する樽形の支承片に指掛け用の切欠を設けたことを特徴とする請求項１又は２に記載の紙製カートン。
【発明の詳細な説明】
【技術分野】
【０００１】
本発明は、板紙からなる包装容器の技術分野に属し、詳しくは、衣料品、文具、化粧品、食品、菓子などを収納して販売する際に用いられ、その横断面が紡錘形をなす組立式の包装容器に関するものである。
【背景技術】
【０００２】
従来より、横断面が紡錘形をなすタイプの包装容器うち、簡便なものとして、板紙を打ち抜いた一枚のブランクを組み立てて箱状とするものが知られている。具体的には、中央の折曲線で左右対称な前板と後板に分けるとともに、各々の上下端縁を弧状に形成し、さらにこの弧状端縁に対応して弧状折曲線を施して凸レンズ状の支承片を設けたブランクを使用しており、このブランクを中央の折曲線で二つ折りにして、側縁に設けられた貼着片で筒状の平板に形成した後、これを筒状に起こしつつ各々の上下の支承片を内側に折り曲げることで緊張支承状態の箱体容器を完成するものである。
【０００３】
この包装容器の変形として、例えば特許文献１に記載のようなものが知られている。この包装容器は、凸レンズ状の支承片の内側に隣接して所定幅の折曲片を設けておき、この折曲片を内向きに折り返した状態で貼着片を貼着して筒状の平板に形成した後、これを筒状に起こしつつ、支承片を突っ張らせて組み立てるようになっている。このように組み立てられた包装容器は、支承片とその鋭角状突起部が箱体の中に隠れるとともに、箱体の周縁部は平坦になり、容器を自立させることができる。
【先行技術文献】
【特許文献】
【０００４】
【特許文献１】実開昭５８−９８３０９号公報
【発明の概要】
【発明が解決しようとする課題】
【０００５】
特許文献１に記載の包装容器は、箱体の上下周縁部が平坦であるため、自立可能で陳列しやすいという利点を有しているが、折曲片のところをＺ状に折り曲げる工程が必要であるため、製造工程が面倒となって新たな設備を要するばかりか、折り返した折曲片の分だけ内容量が少なくなるという問題点もある。
【０００６】
本発明は、このような問題点に鑑みてなされたものであり、その目的とするところは、安定した状態で自立させることが可能でありながら、従来と変わらない工程で製造できる組立容器を提供することにある。
【課題を解決するための手段】
【０００７】
上記の目的を達成するため、本発明の組立容器は、折目線を介して前板と後板と内板とがこの順で連設されており、前板の上端部と後板の上端部にはそれぞれ紡錘形の支承片が円弧状の折目線を介して連設され、内板の下端部には紡錘形の支承片が円弧状の折目線を介して連設され、後板の下端部には両側に脚部を残した状態で樽形の支承片が円弧状の折目線を介して連設されており、内板の上端縁は前板と後板における円弧状の折目線より下方に位置し、前板の下端縁と後板の脚部下端縁とは内板下端部の支承片の両端を結ぶ線の延長線上かその延長線より下方で一直線上に位置してなるブランクからなり、後板に対して内板が折り曲げられ、その内板に重なるように前板が折り曲げられて内板と貼着されることで折畳み状態となり、その折畳み状態のものを中ほどが膨らむように起こして、後板の下端部に連設する樽形の支承片を内側に折り曲げてから、内板の下端部に連設する支承片を重なるように折り曲げて下部を閉鎖するとともに、後板の上端部に連設する支承片を内側に折り曲げてから、前板の上端部に連設する支承片を重なるように折り曲げて上部を閉鎖することで自立できる箱体に組み立てられることを特徴としている。
【０００８】
そして、上記構成の包装容器において、後板の上端部に連設する紡錘形の支承片に指掛け用の切欠を設けることが好ましい。
【０００９】
また、上記構成の包装容器において、後板の下端部に連設する樽形の支承片に指掛け用の切欠を設けることが好ましい。
【発明の効果】
【００１０】
本発明の包装容器は、内板の上端縁が前板と後板における折目線より下方に位置し、前板の下端縁と後板の脚部下端縁とが内板下端部の支承片の両端を結ぶ線の延長線上かその延長線より下方で一直線上に位置しているので、底部が箱体の中に隠れた状態となり、しかも前板の下端縁と後板両側の脚部とが同じ面上に位置することから、安定した状態で自立させることができる。また、折畳み状態とする際には、後板に対して中板と前板を順次折り曲げて貼り合わせるだけでよいので、余計なコストをかけることなく、従来と同様の工程で製造することができる。
【００１１】
そして、後板の上端部に連設する紡錘形の支承片に指掛け用の切欠を設けておくことにより、外側の支承片を立てた後、内側の支承片の切欠に指先を引っ掛けて立てることで上部を簡単に開けることができる。また、後板の下端部に連設する樽形の支承片に指掛け用の切欠を設けておくことにより、外側の支承片を立てた後、内側の支承片の切欠に指先を引っ掛けて立てることで下部を簡単に開けることができるし、箱体を解体する操作も簡単に行うことができる。
【図面の簡単な説明】
【００１２】
【図１】本発明に係る包装容器を形成するためのブランクを表側から見た状態で示す平面図である。
【図２】図１のブランクを折畳み状態としたものを表側から見た状態で示す平面図である。
【図３】図１のブランクを折畳み状態としたものを裏側から見た状態で示す平面図である。
【図４】組み立てた包装容器を斜め前方から見た状態で示す斜視図である。
【図５】組み立てた包装容器を斜め後方から見た状態で示す斜視図である。
【発明を実施するための形態】
【００１３】
次に、本発明の実施形態について図面を参照しながら詳細に説明する。
【００１４】
図１のブランクは、板紙を打ち抜いて形成されたもので、図示のように、折目線ａ，ｂを介して前板１０と後板２０と内板３０とがこの順で連設されており、前板１０の上端部と後板２０の上端部にはそれぞれ紡錘形の支承片１１，２１が円弧状の折目線ｃ，ｄを介して連設され、内板３０の下端部には紡錘形の支承片３１が円弧状の折目線ｅを介して連設されている。また、後板２０の下端部には両側に脚部２２を残した状態で樽形の支承片２３が円弧状の折目線ｆを介して連設されている。ここで、「紡錘形」とは両側に膨らんだ凸レンズの縦断面に対応した形状のことをいい、「樽形」とはその紡錘形の両端部分を平行に切除した形状のことをいう。
【００１５】
前板１０と後板２０は同じ幅であり、内板３０の幅はそれらより僅かに小さくなっている。そして、内板３０の上端縁は前板１０と後板２０における円弧状の折目線ｃ，ｄより下方に位置し、前板１０の下端縁と後板２０の脚部下端縁とは内板下端部の支承片３１の両端を結ぶ線の延長線より僅かに下方で一直線上に位置している。なお、別の形態として、組立時に脚部が突き出ない状態にはなるが、前板１０の下端縁と後板２０の脚部下端縁は内板下端部の支承片３１の両端を結ぶ線の延長線上にあっても構わない。
【００１６】
また、後板２０の上端部に連設する紡錘形の支承片２１には、その先端縁に指掛け用の切欠２１ａが設けられており、さらに、後板２０の下端部に連設する樽形の支承片２３にも、その先端縁に指掛け用の切欠２３ａが設けられている。
【００１７】
図１のブランクから包装容器を作成するには、まず図２及び図３に示すような折畳み状態にする。すなわち、ブランクをサック貼り機にかけ、後板２０に対して内板３０を折り曲げ、その内板３０に重なるように前板１０を折り曲げられて内板３０と貼着する。このとき、ブランクを搬送しながら、内板３０の表側と前板１０の裏側に、例えば図１に丸印で示す位置に接着剤やホットメルトを塗布して貼り合わせるとよい。このように、折畳み状態とする際には、既存のサック貼り機により、後板２０に対して中板３０と前板１０を順次折り曲げて貼り合わせるだけで製造することができる。
【００１８】
このようにサック貼りしたものを組み立て、中に製品を投入して販売形態とする。具体的には、図３及び図４に示す折畳み状態のものをその両サイドから押すことで中ほどが膨らむように起こし、後板２０の下端部に連設する樽形の支承片２３を内側に折り曲げてから、内板３０の下端部に連設する支承片３１を重なるように折り曲げて下部を閉鎖する。このように底部を閉じてから、中に製品を投入する。次いで、後板２０の上端部に連設する支承片２１を内側に折り曲げてから、前板１０の上端部に連設する支承片１１を重なるように折り曲げて上部を閉鎖することで箱体に組み立てる。
【００１９】
組み立てられた包装容器を図４及び図５に示す。この包装容器は、内板３０の上端縁が前板１０と後板２０における折目線ｃ，ｄより下方に位置し、前板１０の下端縁と後板２０の脚部下端縁とが内板下端部の支承片３１の両端を結ぶ線より下方で一直線上に位置しているので、底部が箱体の中に隠れた状態となり、しかも前板１０の下端縁と後板両側の脚部２２とが同じ面上に位置することから、安定した状態で自立させることができる。
【００２０】
中の製品を取り出す際は、後板２０の上端部に連設する紡錘形の支承片２１に指掛け用の切欠２１ａがあるので、外側の支承片１１を立てた後、内側の支承片２１の切欠２１ａに指先を引っ掛けて立てることで上部を簡単に開けることができる。
【００２１】
また、後板２０の下端部に連設する樽形の支承片２３に指掛け用の切欠２３ａを設けてあるので、外側の支承片３１を立てた後、内側の支承片２３の切欠に指先を引っ掛けて立てることで下部を簡単に開けることができるし、箱体を解体する操作も簡単に行うことができる。
【００２２】
以上、本発明の実施の形態について、一つの例を挙げて詳細に説明してきたが、本発明による包装容器は、上記実施の形態に何ら限定されるものではなく、本発明の趣旨を逸脱しない範囲において種々の変更が可能であることは当然のことである。
【産業上の利用可能性】
【００２３】
本発明に係る組立式の包装容器は、製品として衣料品、文具、化粧品、食品、菓子などを収納し、収納したものを店頭に並べて販売する際に好適に用いられる。
【符号の説明】
【００２４】
１０  前板
１１  支承片
２０  後板
２１  支承片
２１ａ  切欠
２２  脚部
２３  支承片
２３ａ  切欠
３０  内板
３１  支承片
ａ〜ｆ  折線
【図１】
2015160615.tif 000003
【図２】
2015160615.tif 000004
【図３】
2015160615.tif 000005
【図４】
2015160615.tif 000006
【図５】
2015160615.tif 000007